(57)【要約】【課題】本発明は、木造建築の屋上を陸屋根にし屋上緑化工事に充分な耐久力ある建築設計によって１ｍ２の重量を４００ｋｇまで可能にした屋上に強力な防水加工ＦＲＰ（４）の合成樹脂材（Ａ）とガラスウール（グラスウール）（Ｂ）を順次重合させ、完全強力防水加工した木造平面床の陸屋根を構成し、屋上緑化を木造建築の屋上に造成する事を提供するものである。【解決手段】桁、までは水平に施工し、根太受け（Ｅ）にて所定の水勾配を確保する。その上に根太を配し、根太の上に合板を配し、当合板の上面にＦＲＰ（４）の合成樹脂材（Ａ）とガラスウール（グラスウール）（Ｂ）とを順次重合させて陸屋根を構成し、更に排水、保水資材と軽量土を全面に配置し、野菜、芝、花、木等配設して屋上緑化（屋上ガーデン）を造成し緑によって各部屋の温度を自然的になした本発明。【選択図】  図１
2005113659.tif 000002
【特許請求の範囲】
【請求項１】
木造建築２階建の屋根を平な陸屋根にして屋上を生活空間に利用する事を可能にした本発明は根太受けＥで排水勾配を有した屋上をＦＲＰ等の合成樹脂材とガラスウール（グラスウール）をもって完全防水加工を成した屋上に適資材を利用して芝、花、植木、等を植栽し、ヒートアイランド現象を冷やす屋上緑化を構成する木造建築の陸屋根及び屋上緑化の構築方法。
【請求項２】
本発明は木造建築２階建屋上の緑化を保守点検に屋内階段を開発２階室内から屋上のペイントハウスに上がれる建築構法にして室内から屋上への出入りを可能にした木造建築屋上緑化。
【請求項３】
木造建築屋上緑化の重量問題を建築法第６条１項４号をクリアし木造建築規制をパスした本発明は屋上緑化の重量問題を最大の基礎研究とし、各所を増強設計で、配筋を増し基礎を強化し，更に通し柱、管柱、桁、引寄器具、耐力壁等各所で数倍の強度にし建築法で屋上床重量１ｍ２当たり１８０ｋｇ規制を倍増４００ｋｇに増強して許可第６条１項４号に受理された、請求項１に記載の木造建築屋上緑化の構築方法。
【発明の詳細な説明】
【発明の詳細な説明】
【産業上の利用分野】
【０００１】本発明は、木造住宅の基礎から屋根を含む構造体の総てを強化し安全な防水加工と、軽量化で強い屋根を構成し、屋上を緑の広場にして、生活空間を二倍にする、従来とは全く異なった木造の屋上緑地化をローコストで遂に造成する事が出来た本発明である。
【背景技術】
【０００２】従来、木造住宅の屋根の構成においては、各種の瓦、スレート、トタン等をもって構成されたもので、木造屋根の構造上、屋上に庭園等の他の構造物を造ることは全く不可能であった。【０００３】屋上庭園の造成はコンクリートビルの屋上に限られていたものであった。これを何とかして木造の屋上にも庭園造成を夢見て，理論のみが先走って来たが現実は不可能であった、上記したように、木造の屋上庭園の造成は著しく困難で防水効果、防根効果に問題が多く各種の塗装防水樹脂、防水シートを重合しても罅割れ等が発生する又、防水シートの防水では木造住宅に永久的安全性に不安が多いものであった。
【発明が解決しようとする課題】
【０００４】都市のヒートアイランド現象の原因は毎年増え続けるコンクリートや舗装面の増大又、自動車や工場からの排気ガス等によって地表温度の上昇は深刻な問題である、この地球規模の環境改善をなす本発明は、従来において全く不可能であった木造住宅の屋根を陸屋根にし、屋上に所望の緑化を至極容易にし上記の目的を達成し得る様にしたことを提供するものである。
【課題を解決するための手段】
【０００５】本発明は、木造住宅の構築時及び改造（リフォーム）時において、屋根を受ける桁１根太（２）の上にコンパネ（３）等の床版を二重張設し、四方周端は防壁柵パラペット（１３）をＬ字形に起立させて、その上面にＦＲＰ（４）の合成樹脂材（Ａ）ガラスウール（Ｂ）とを交互に張着させて防水加工を完全になした、その上に防根シート排水マット（５）を敷き保水性、通気性を有した軽量土と混合合成土（６）とを全面的も盛土、樹木（７）置き石（８）芝，花（９）その他植栽配置して所望の屋上庭園（１０）を造成し、屋上の周りには雨水を安全確実に排水する様ネトロンパイプ（１１）集水マス（１２）を構築成するものである。
【０００６】木造建築法第６条１項４号をクリアした強度構法
（１４）の基礎はベース筋１０ｍｍを１３ｍｍ筋にして２５０ピッチに強化した
（１５）の強度金具を基礎、柱、桁等、梁、に使用の引寄金具を４本から２３本に増強した
（１６）の柱強度を、管柱１０５×１５０を数ヶ所使用して１．５倍の強度にした
（１７）は桁、梁一階１部を１０５×３９０も使用して強化する、二回は桁を１０５×３００に改造して強化した
（１８）の火打梁は通常の１．５倍の本数を使用
（１９）は画材を片面から両面張りとし耐力壁５．０ｋｇを実施した
上記ヶ所の強度を増す事によって１ｍ２当たり４００ｋｇまで受ける木造建築屋上緑化の建築許可第６条１項４号を受理した初の木造建築屋上緑化構築方法。
【作用】
【０００７】本願の屋上防水ＦＲＰは従来の防水シート等よりも数段の強度と防水性、安全性があり又コンパネには特に相性良く強く結合する合板樹脂材とガラスウール（グラスウール）との混合樹脂材が完全防水と成る、更にガラスウール（グラスウール）の作用によって諸方向への振動及び揺れに対しても、著しく強耐であり、罅割れ破損を完全に防止し、又防根シート無しでも充分に防根して強度に屋根を保護するＦＲＰ作用、尚屋上に若干の排水勾配を考慮し保水、排水に適した客土によって、通水保水等の作用を円滑化し、屋上緑化を常に保持する事によって、屋内二階居室の温度を著しく低温化させる作用を有し又、冬期は保温効果を高めるので快適な室内環境を造る事が出来るものである。更に，雨天時及び散水時における余剰水は屋上を構成したＦＲＰの合成樹脂材及び集水排水管等によって誘導排水され、屋上の重量は常に安定し安全に保持される等の多くの安全と強化作用を有するＦＲＰからなる屋上緑化木造建築。
【実施例】
【０００８】以下本発明の実施例について説明する。
木造住宅の屋根を構成する桁材、根太の上面にコンパネ等の合板を二重三重に張設し屋根の周端にはＬ字形状にパラペットを起立安全柵を立設し、全上面をＦＲＰの合成樹脂材とガラスウール（グラスウール）を交互に加工してフィルム状に完全防水処理をなした、屋上陸屋根は防根シートを不要にしても植物の毛根侵入を完全防止する程、防根力と防水力を発揮した屋上に庭園緑化を造成することによりヒートアイランド現象を改善し更に屋内を快適環境の温度調節を常に自然的に成した事を特徴とする木造住宅の陸屋根及び屋上緑化の構築方法。【０００９】図１は本発明の実施に係わる木造住宅の屋根構成を示した断面図で、柱や桁（１）等を総て重量に耐える強度にし、その上に根太（２）を近間隔に入れ上面にコンパネ等の合板（３）を二重三重に張設した、上面にＦＲＰ（４）等の合成樹脂材（Ａ）を塗布してガラスウール（Ｂ）を張着し、この工程を数重に実施し、一定の厚さにして陸屋根を平面状に構成し完全防水した陸屋根の上面に防根シート排水マット（５）を張設して軽量土及び混合合成土（６）を盛土し、樹木（７）置き石（８）、芝（９）、花等を配設して所望の庭園（１０）等で屋上緑化を造成し又，屋根の端は網状の集排水筒等排水パイプ（ネトロンパイプ）（１１）と集水マス（１２）を構成し、周囲には安全柵パラペット、ハンドレール（１３）を立設したものである。【００１０】ＦＲＰ（４）の重合内容は下記の１３層にして構成されている
１、プライマー（１回目）５、ガラスマット貼り９、ガラスマット貼り
２、プライマー（２回目）６、積層樹脂２層目  １０、積層樹脂４層目
３、ジョイント処理      ７、ガラスマット貼り１１、積層樹脂５層目
４、積層樹脂１層目      ８、積層樹脂３層目  １２、耐薬品塗料（１回目）
１３、耐薬品塗料（２回目）
【発明の効果】
【００１１】従来全くなし得なかった木造住宅の平面屋上の構成と屋上緑化の構成とを本発明は実現し、更にＦＲＰ等の合成樹脂材と強力なガラスウール（グラスウール）との混合合成樹脂材を順次重合させて強力完全防水した事により、木造屋根は平面状の陸屋根に構成された屋上を生活空間に利用する事を可能にした更に屋上緑化は緑地によって屋内環境を大きく改善して各部屋の温度を自動的自然環境を最高の効果になすものである。
【図面の簡単な説明】
【図１】本発明の実施に係わる木造建築の断面図
【図２】屋上緑化の実施図
【図３】ＦＲＰ
【図４】屋上の平面図
【図５】屋上の伏図
【図６】屋上の伏図
【図７】二階の平面図
【図８】二階の伏図
【図９】一階の平面図
【図１０】一階の伏図
【図１１】基礎平面図
【図１２】立面図  ＡＢ
【符号の説明】
１、桁                              １４、基礎
２、根太                            １５、金具
３、コンパネ等の合板                １６、柱
４、ＦＲＰ                          １７、梁
５、防根シート、排水マット          １８、火打
６、軽量土、混合合成土              １９、耐力壁
７、樹木                            ２０、ペントハウス
８、置き石                          ２１、ウッドデッキ
９、芝                                Ａ、合成樹脂材
１０、庭園                            Ｂ、ガラスウール
１１、排水用（ネトロンパイプ）        Ｅ、根太受け
１２、集水マス
１３、パラペット安全柵
【図１】
2005113659.tif 000003
【図２】
2005113659.tif 000004
【図３】
2005113659.tif 000005
【図４】
2005113659.tif 000006
【図５】
2005113659.tif 000007
【図６】
2005113659.tif 000008
【図７】
2005113659.tif 000009
【図８】
2005113659.tif 000010
【図９】
2005113659.tif 000011
【図１０】
2005113659.tif 000012
【図１１】
2005113659.tif 000013
【図１２】
2005113659.tif 000014